(57)【要約】【課題】  ディスプレイコントローラにおいて、表示されるコンテンツに応じて適切な表示階調を設定すること。【解決手段】  情報表示装置１は、ディスプレイコントローラ５０がページを描画する際に、表示される段落毎にファイルヘッダ部分を参照し、その段落が有する階調に応じて、ディスプレイコントローラ５０の表示モードを設定する。そのため、ディスプレイコントローラ５０は、１ページに含まれる各段落を描画する際に、ディスプレイ６０に描画する画像の階調に合わせた表示階調で起動される。したがって、ディスプレイコントローラにおいて、表示されるコンテンツに応じて適切に表示階調を設定することが可能となる。【選択図】  図３
2006184675.tif 000002
【特許請求の範囲】
【請求項１】
表示階調のモードを複数備える記憶性のディスプレイと、該ディスプレイにおける表示階調のモード変更時にリセットを伴うディスプレイコントローラとを含む情報表示装置であって、
前記ディスプレイの１画面分に対応するデータに区分され、該１区分において前記画面のラインを単位として構成された段落を含み、さらに該段落それぞれの表示階調が設定されたコンテンツを取得するコンテンツ取得手段と、
前記コンテンツの段落が表示される際に、該段落の表示階調を取得する表示階調取得手段と、
前記表示階調取得手段によって取得された段落の表示階調に合わせて、前記ディスプレイコントローラにおける表示階調のモードを設定する表示階調設定手段と、
を含み、
前記ディスプレイコントローラは、前記表示階調設定手段によって設定された表示階調のモードで、前記コンテンツの段落を前記ディスプレイに描画することを特徴とする情報表示装置。
【請求項２】
前記コンテンツは、電子ブックのコンテンツであり、該コンテンツに含まれるデータの種類毎に前記段落を構成していることを特徴とする請求項１記載の情報表示装置。
【請求項３】
前記１画面分のデータに含まれる段落のうち、設定された表示階調が同一の段落毎に順に表示を行わせる表示順序制御手段をさらに含むことを特徴とする請求項１または２記載の情報表示装置。
【請求項４】
前記ディスプレイに前記ディスプレイコントローラが表示対象となるデータの画像を描画する際に、該ディスプレイおよびディスプレイコントローラに電源を投入すると共に、画像の描画が終了することに対応して電源を切断する電源制御手段をさらに備えることを特徴とする請求項１から３のいずれか１項に記載の情報表示装置。
【請求項５】
表示階調のモードを複数備える記憶性のディスプレイと、該ディスプレイにおける表示階調のモード変更時にリセットを伴うディスプレイコントローラとを含む情報表示装置を制御するための情報表示制御プログラムであって、
前記ディスプレイの１画面分に対応するデータに区分され、該１区分において前記画面のラインを単位として構成された段落を含み、さらに該段落それぞれの表示階調が設定されたコンテンツを取得するコンテンツ取得機能と、
前記コンテンツの段落が表示される際に、該段落の表示階調を取得する表示階調取得機能と、
前記表示階調取得機能によって取得された段落の表示階調に合わせて、前記ディスプレイコントローラにおける表示階調のモードを設定する表示階調設定機能と、
をコンピュータに実現させることを特徴とする情報表示制御プログラム。
【発明の詳細な説明】
【技術分野】
【０００１】
本発明は、表示階調を切り換え可能なディスプレイを有する情報表示装置およびその情報表示制御プログラムに関する。
【背景技術】
【０００２】
従来、表示階調を多段階に切り換えることが可能なディスプレイを有する情報表示装置が知られており、例えば、必要に応じてモノクロ２階調の表示モードとモノクロ１６階調の表示モードとのいずれかに切り換えて情報の表示を行うといったことが行われている。
このような情報表示装置においては、一般に、ディスプレイの表示モードを切り換える場合、ディスプレイコントローラの初期化（リセット）を行う必要がある。そのため、ＣＲＴ（Cathode Ray Tube）や非記憶性の液晶ディスプレイ等において表示モードを切り換える場合には、表示されている情報が消去されることとなる。
【０００３】
一方、記憶性の液晶ディスプレイや電気泳動ディスプレイ等においては、ディスプレイコントローラがリセットされた場合にも、表示されていた情報が保持される。
したがって、記憶性の表示装置を用いた場合、情報の表示中においても、比較的柔軟に表示モードを変更することが可能となる。
なお、画像の表示におけるモードを設定する技術については、例えば、特許文献１に記載されている。
【特許文献１】特開平１０−２３２６６９号公報
【発明の開示】
【発明が解決しようとする課題】
【０００４】
しかしながら、従来の情報表示装置においては、表示されるコンテンツ毎、あるいは、表示されるページ毎にディスプレイの表示階調を設定していた。
そのため、コンテンツを表示する際に、コンテンツの一部あるいは表示されるページ（ディスプレイの１画面）の一部に多階調のコンテンツが含まれている場合、そのコンテンツやページ全体に対して高い表示階調を設定して表示することとなる。
【０００５】
ところが、ディスプレイコントローラにおいては、より低階調の表示モードの方が、概して高速に画像を表示することができるため、このように高い表示階調に設定した場合、ディスプレイに対する画像の書き込み時間が増大し、表示速度が低下する事態を招くこととなる。
また、表示対象の画像がより低階調であり、高階調の表示モードとする必要がないにも関わらず、高階調の表示モードとされた場合、低階調の画像を高階調の画像に一旦変換し、サイズがより増大したデータをプロセッサ等からディスプレイコントローラに転送する必要がある。それにより、不要な処理が発生し、処理効率の低下あるいは消費電力の増加を招くこととなる。
【０００６】
したがって、ディスプレイコントローラにおいては表示されるコンテンツに応じて適切に表示階調を設定する必要がある。
なお、特許文献１に記載された技術は、表示対象となる画像の画像タイプ（パレットを用いて色が表現された画像および通常のＲＧＢ画像）に応じて、表示する処理のモードを切り換える技術であり、ディスプレイコントローラにおける表示階調を設定する場合に適用することができるものではない。
【０００７】
本発明の課題は、ディスプレイコントローラにおいて、表示されるコンテンツに応じて適切な表示階調を設定することである。
【課題を解決するための手段】
【０００８】
以上の課題を解決するため、本発明は、
表示階調のモードを複数備える記憶性のディスプレイ（即ち、電力の供給を行わなくても表示された情報が保持されるディスプレイであり、例えば、図１のディスプレイ６０）と、該ディスプレイにおける表示階調のモード変更時にリセットを伴うディスプレイコントローラ（例えば、図１のディスプレイコントローラ５０）とを含む情報表示装置であって、前記ディスプレイの１画面分に対応するデータに区分され、該１区分において前記画面のラインを単位として構成された段落を含み、さらに該段落それぞれの表示階調が設定されたコンテンツ（例えば、図２に示す電子ブックのコンテンツ）を取得するコンテンツ取得手段（例えば、図１のメモリカードコントローラ７０）と、前記コンテンツの段落が表示される際に、該段落の表示階調を取得する表示階調取得手段（例えば、図１のＣＰＵ１０）と、前記表示階調取得手段によって取得された段落の表示階調に合わせて、前記ディスプレイコントローラにおける表示階調のモードを設定する表示階調設定手段（例えば、図１のＣＰＵ１０）とを含み、前記ディスプレイコントローラは、前記表示階調設定手段によって設定された表示階調のモードで、前記コンテンツの段落を前記ディスプレイに描画することを特徴としている。
【０００９】
このような構成により、ディスプレイの１画面を描画する際に、各段落に適する表示階調に切り換えることが可能となる。
そのため、表示対象のコンテンツのうち、不必要な部分が高階調の表示モードに設定されることにより、表示速度が低下したり、低階調の画像を高階調に変換する必要が生ずることにより、処理効率の低下あるいは消費電力の増加を招くといった事態を回避することができる。
【００１０】
したがって、ディスプレイコントローラにおいて、表示されるコンテンツに応じて適切な表示階調を設定することが可能となる。
なお、ここで言うリセットには、明示的な指示が入力された場合のリセットの他、電源投入プロセスにおいて行われるリセットも含むものである。
また、前記コンテンツは、電子ブックのコンテンツであり、該コンテンツに含まれるデータの種類毎に前記段落を構成していることを特徴としている。
【００１１】
このような構成により、電子ブックのコンテンツに含まれる文章、挿絵、写真といったデータの種類毎に適切な表示階調を設定することが可能となり、不必要な部分が高階調の表示モードに設定されることにより、表示速度が低下したり、低階調の画像を高階調に変換する必要が生ずることにより、処理効率の低下あるいは消費電力の増加を招くといった事態を可能な限り回避することができる。
【００１２】
また、前記１画面分のデータに含まれる段落のうち、設定された表示階調が同一の段落毎に順に表示を行わせる表示順序制御手段（例えば、図４に示す情報表示処理を実行する場合のＣＰＵ１０）をさらに含むことを特徴としている。
このような構成により、ディスプレイコントローラの表示モードを切り換える回数を減少させることができ、より高速かつ低消費電力にページを描画することが可能となる。
【００１３】
また、前記ディスプレイに前記ディスプレイコントローラが表示対象となるデータの画像を描画する際に、該ディスプレイおよびディスプレイコントローラに電源を投入すると共に、画像の描画が終了することに対応して電源を切断する電源制御手段（例えば、図１のＣＰＵ１０および電源コントローラ２０）をさらに備えることを特徴としている。
このような構成により、記憶性のディスプレイを用いて電子ブックの表示端末を実現するときに、ディスプレイおよびディスプレイコントローラの電源を随時切断して低消費電力化を図りつつ、ディスプレイコントローラにおける表示階調を適切に設定することが可能となる。
【００１４】
また、本発明は、
表示階調のモードを複数備える記憶性のディスプレイと、該ディスプレイにおける表示階調のモード変更時にリセットを伴うディスプレイコントローラとを含む情報表示装置を制御するための情報表示制御プログラムであって、前記ディスプレイの１画面分に対応するデータに区分され、該１区分において前記画面のラインを単位として構成された段落を含み、さらに該段落それぞれの表示階調が設定されたコンテンツを取得するコンテンツ取得機能と、前記コンテンツの段落が表示される際に、該段落の表示階調を取得する表示階調取得機能と、前記表示階調取得機能によって取得された段落の表示階調に合わせて、前記ディスプレイコントローラにおける表示階調のモードを設定する表示階調設定機能とをコンピュータに実現させることを特徴としている。
【００１５】
このように、本発明によれば、ディスプレイコントローラにおいて、表示されるコンテンツに応じて適切な表示階調を設定することが可能となる。
【発明を実施するための最良の形態】
【００１６】
以下、図を参照して本発明に係る情報表示装置の実施の形態を説明する。
まず、構成を説明する。
図１は、本発明に係る情報表示装置１の機能構成を示すブロック図である。
なお、ここでは、情報表示装置１が電子ブックのビューワ端末である場合の例について説明する。
【００１７】
図１において、情報表示装置１は、ＣＰＵ（Central Processing Unit）１０と、電源コントローラ２０と、フラッシュＲＯＭ３０と、メモリ４０と、ディスプレイコントローラ５０と、ディスプレイ６０と、メモリカードコントローラ７０と、メモリカード８０と、バスコントローラ９０とを含んで構成され、ディスプレイ６０およびメモリカード８０を除く各部は、バスによって接続されている。また、これらの各部には、不図示のバッテリから電力が供給されている。
【００１８】
ＣＰＵ１０は、情報表示装置１全体を制御するもので、不図示の入力ボタンから入力される各種の指示信号に従って、フラッシュＲＯＭ３０に記憶されたオペレーティングシステムプログラム、あるいは、画像表示処理プログラム（後述）等の各種アプリケーションプログラムを読み出して実行する。そして、ＣＰＵ１０は、各種処理結果をフラッシュＲＯＭ３０あるいはメモリ４０に格納する。
【００１９】
さらに、ＣＰＵ１０は、情報表示装置１に対する入力操作が行われた場合等、動作の必要が生じた場合にのみ電源を投入して処理を行い、動作が不要な場合には、電源を切断した状態とするように電源コントローラ２０を介して電力制御を行う。例えば、ＣＰＵ１０は、電子ブックの次のページを表示する指示がボタンを介して入力された場合、メモリカードコントローラ７０、ディスプレイコントローラ５０およびディスプレイ６０に電源を投入する指示を電源コントローラ２０に出力する。そして、ＣＰＵ１０は、メモリカード８０に記憶された電子ブックの所定コンテンツを読み出してディスプレイ６０に描画させた後、メモリカードコントローラ７０、ディスプレイコントローラ５０およびディスプレイ６０の電源を切断する指示を電源コントローラ２０に出力する。
【００２０】
電源コントローラ２０は、ＣＰＵ１０の指示に従って、情報表示装置１の各部に対するバッテリからの電力の供給を制御する。例えば、電源コントローラ２０は、電子ブックの次のページを表示する指示がボタンを介して入力されることにより、ＣＰＵ１０からメモリカードコントローラ７０、ディスプレイコントローラ５０およびディスプレイ６０の電源を投入する指示が入力されると、これらの各部に電源を投入し、続いてＣＰＵ１０から電源を切断する指示が入力されると、これらの各部の電源を切断する。
【００２１】
フラッシュＲＯＭ３０は、情報表示装置１において実行されるオペレーティングシステムプログラム、あるいは、画像表示処理プログラム（後述）等の各種アプリケーションプログラムを記憶している。また、フラッシュＲＯＭ３０は、表示中の電子ブックのページ等、情報表示装置１の電源が切断された場合にも保持しておく必要がある各種データを記憶する。
【００２２】
メモリ４０は、ＤＲＡＭ（Dynamic Random Access Memory）、ＳＲＡＭ（Static Random Access Memory）あるいはＳＤＲＡＭ（Synchronous DRAM）といった半導体メモリによって構成され、ＣＰＵ１０が処理を実行する際にワークエリアを形成すると共に、その処理結果を記憶する。
ディスプレイコントローラ５０は、ディスプレイ６０を直接制御するものであり、ＣＰＵ１０によって入力される描画命令を解釈し、メモリカード８０に記憶されているコンテンツを読み出して、表示が指示された電子ブックのページをディスプレイ６０に描画する。
【００２３】
また、ディスプレイコントローラ５０は、ＣＰＵ１０が画像表示処理プログラムを実行することにより、ページを描画する際に、ページ内の領域毎にディスプレイの表示モードが１６階調あるいは２階調のいずれかに設定される。そして、ディスプレイコントローラ５０は、ＣＰＵ１０によって設定された階調でページの各領域をディスプレイ６０に描画する。
【００２４】
ディスプレイ６０は、表示している情報を不揮発的に保持する記憶性のディスプレイである。
なお、ディスプレイ６０としては、コレステリック液晶ディスプレイ、電気泳動ディスプレイあるいはツイストボール型ディスプレイ等、各種の記憶性ディスプレイを用いることが可能である。
【００２５】
メモリカードコントローラ７０は、メモリカード８０に対するデータの読み出しあるいは書き込みを行うインターフェース回路であり、ＣＰＵ１０の指示に従って、メモリカードに記録された電子ブックのコンテンツを読み出す等の処理を行う。
メモリカード８０は、情報表示装置１において表示される電子ブックのコンテンツを記憶する記憶媒体である。
【００２６】
なお、本実施の形態においては、電子ブックのコンテンツがメモリカード８０に記憶されているものとして説明するが、情報表示装置が、電子ブックのコンテンツを蓄積するサーバから通信装置を介して電子ブックのコンテンツをダウンロードすることとしても良い。
図２は、メモリカード８０に記憶されるコンテンツのファイルフォーマットおよびページの段落構成を示す模式図である。
【００２７】
図２において、メモリカード８０が記憶する電子ブックのコンテンツは、ファイルの属性に関する情報であるヘッダ部分と、ファイルの実データであるボディ部分とによって構成されている。
本実施の形態における電子ブックのコンテンツは、ディスプレイ６０の１画面（ページ）毎にコンテンツが区分されたデータ形式であり、さらに、１ページ分のコンテンツは、ページ内において１ライン（横方向の画素１列）を単位とする複数の領域（以下、この領域を「段落」と言う。）に区分されている。
【００２８】
例えば、ページの上段が文章からなる段落、中段が挿絵からなる段落であり、下段が上段に続く文章の段落であるといったように区分されている。
そして、本実施の形態における電子ブックのコンテンツは、文章の段落が２階調、挿絵の段落が１６階調といったように、段落毎にデータの表示階調が設定されている。
そのため、図２に示す１画面分のデータは、複数の段落それぞれに対応するボディ部分およびヘッダ部分からなるデータによって構成され、各段落のヘッダ部分は、それぞれの段落についての階調数および高さ（ライン数）を含んでいる。
【００２９】
本発明に係る情報表示装置１は、ディスプレイコントローラ５０がページに含まれる各段落を描画する際に、図２に示すファイルフォーマットのうち、ヘッダ部分に含まれる“階調数”のデータを取得し、その階調数に基づいてディスプレイコントローラ５０の表示階調のモードを設定する。
また、図２に示すファイルフォーマットにおいては、各段落の描画開始位置（ディスプレイ６０における段落の先頭アドレス）がヘッダ部分に含まれている。なお、この描画開始位置は、ヘッダ部分に含めずに、各段落のライン数から適宜算出することも可能である。
【００３０】
図１に戻り、バスコントローラ９０は、バスに接続された各部によるバスアクセスを調停する。
次に、動作を説明する。
本実施の形態における情報表示装置１は、上述の構成の下、入力操作が行われた場合等、動作が必要な場合にのみ所定部分に電源が投入され、必要な動作が終了すると、再び電源が切断された状態となる。そして、情報表示装置１は、表示する画像を変更させる入力操作行われた場合、ディスプレイコントローラ５０およびディスプレイ６０に電源を投入し、必要な動作が終了すると、再び電源が切断された状態となる。このとき、ＣＰＵ１０は、ページを描画する毎に、ディスプレイ６０の表示モードを段落毎に設定するための画像表示処理を実行する。
【００３１】
図３は、情報表示装置１のＣＰＵ１０が実行する画像表示処理を示すフローチャートである。
図３において、電子ブックの次のページを表示する指示等がボタンを介して入力されると、ＣＰＵ１０は、電源コントローラ２０によりメモリカードコントローラ７０、ディスプレイコントローラ５０およびディスプレイ６０に電源を投入し（ステップＳ１）、メモリカードコントローラ７０の初期化を行う（ステップＳ２）。
【００３２】
そして、ＣＰＵ１０は、表示対象のページのうち、ディスプレイコントローラ５０に対して転送したライン数を示すパラメータ“転送ライン数”に０をセットする（ステップＳ３）。
そして、ＣＰＵ１０は、メモリカード８０から表示する段落のファイルヘッダ部分を読み出し（ステップＳ４）、表示する段落が有する階調が２階調であるか否かの判定を行う（ステップＳ５）。
【００３３】
ステップＳ５において、その段落に設定された階調が２階調であると判定した場合、ＣＰＵ１０は、表示階調を２階調に設定してディスプレイコントローラ５０を初期化し（ステップＳ６）、その段落に設定された階調が１６階調であると判定した場合、表示階調を１６階調に設定してディスプレイコントローラ５０を初期化する（ステップＳ７）。
ステップＳ６およびステップＳ７の後、ＣＰＵ１０は、その段落のボディ部分（実データ）をメモリカード８０からディスプレイコントローラ５０に転送する（ステップＳ８）。これにより、ディスプレイコントローラ５０がディスプレイ６０に段落の描画を行う。
【００３４】
次いで、ＣＰＵ１０は、描画した段落の高さ（ライン数）を加算することにより“転送ライン数”を更新し（ステップＳ９）、“転送ライン数”が１画面分（１ページのライン数分）に達しているか否かの判定を行う（ステップＳ１０）。
ステップＳ１０において、“転送ライン数”が１画面分に達していないと判定した場合、ＣＰＵ１０は、ステップＳ４の処理に移行する。
【００３５】
一方、ステップＳ１０において、“転送ライン数”が１画面分に達していると判定した場合、ＣＰＵ１０は、電源コントローラ２０により、ステップＳ１において電源を投入したメモリカードコントローラ７０、ディスプレイコントローラ５０およびディスプレイ６０の電源を切断し（ステップＳ１１）、画像表示処理を終了する。
なお、図３に示す画像表示処理においては、ページの段落を上から下の方向に配列順に描画するものとして説明したが、ページ内において、同一の表示階調を有する段落が不連続に配置されている場合、同一の表示階調の段落毎にまとめて描画していくことも可能である。
【００３６】
図４は、同一の表示階調の段落毎にまとめて描画する場合の画像表示処理の変形例を示すフローチャートである。
図４において、電子ブックの次のページを表示する指示等がボタンを介して入力されると、ＣＰＵ１０は、電源コントローラ２０によりメモリカードコントローラ７０、ディスプレイコントローラ５０およびディスプレイ６０に電源を投入し（ステップＰ１）、メモリカードコントローラ７０の初期化を行う（ステップＰ２）。
【００３７】
次に、ＣＰＵ１０は、表示階調を２階調に設定してディスプレイコントローラ５０を初期化し（ステップＰ３）、表示対象となるコンテンツのファイルをメモリカード８０から読み出す（ステップＰ４）。
そして、ＣＰＵ１０は、各段落の描画開始位置を参照しつつ、表示階調が２階調に設定された段落のボディ部分をディスプレイコントローラ５０に転送する（ステップＰ５）。
【００３８】
これにより、ディスプレイコントローラ５０がディスプレイ６０に２階調が設定された段落の描画を行う。
続いて、ＣＰＵ１０は、表示階調を１６階調に設定してディスプレイコントローラ５０を初期化し（ステップＰ６）、描画開始位置を参照しつつ、表示階調が１６階調に設定された段落のボディ部分をディスプレイコントローラ５０に転送する（ステップＰ７）。
【００３９】
その後、ＣＰＵ１０は、ステップＰ１において電源を投入したメモリカードコントローラ７０、ディスプレイコントローラ５０およびディスプレイ６０の電源を切断し（ステップＰ８）、図４の画像表示処理を終了する。
図３の画像表示処理が実行されると、図２に示すページにおいて、第１段落、第２段落、第３段落の順に描画される一方、図４の画像表示処理が実行されると、図２に示すページにおいて、第１段落、第３段落、第２段落の順に描画されることとなる。
【００４０】
図４に示す画像表示処理とした場合、ディスプレイコントローラ５０の表示モードを切り換える回数を減少させることができ、より高速かつ低消費電力にページを描画することが可能となる。
なお、同一の表示階調の段落毎にまとめて描画する方法としては、図４に示すように、通常のボディ部分の配列とされたコンテンツのファイルにおいて、各段落の表示階調を基に、描画する段落（同一の表示階調の段落）を随時検索して、各段落の描画開始位置から描画していく方法の他、予め、表示階調順に各段落のボディ部分が再配列されたファイルにおいて、各段落の描画開始位置を基に、ボディ部分の配列順に段落を描画していく方法とすることも可能である。
【００４１】
以上のように、本実施の形態に係る情報表示装置１は、ディスプレイコントローラ５０がページを描画する際に、表示される段落毎にファイルヘッダ部分を参照し、その段落が有する階調に応じて、ディスプレイコントローラ５０の表示モードを設定する。
そのため、ディスプレイコントローラ５０は、１ページに含まれる各段落を描画する際に、ディスプレイ６０に描画する画像の階調に合わせた表示階調で起動される。
【００４２】
したがって、表示対象のコンテンツのうち、不必要な部分が高階調の表示モードに設定されることにより、表示速度が低下したり、低階調の画像を高階調に変換する必要が生ずることにより、処理効率の低下あるいは消費電力の増加を招くといった事態を回避することができる。
即ち、本発明によれば、ディスプレイコントローラにおいて、表示されるコンテンツに応じて適切に表示階調を設定することが可能となる。
【００４３】
なお、本実施の形態に係る情報表示装置１において、コレステリック液晶表示装置や電気泳動ディスプレイを用いた場合、１６階調で表示を行うためには２階調で表示を行う場合に比べて、画素のリセットから表示までの時間が大幅に増大することとなる。そのため、不必要に多階調の表示モードに設定される場合を可能な限り回避することができる。また、中間調を表現するためには各画素を複雑に制御する必要があることから、このような事態を可能な限り回避することもできる。
【図面の簡単な説明】
【００４４】
【図１】本発明に係る情報表示装置１の機能構成を示すブロック図である。
【図２】メモリカード８０に記憶されるコンテンツのファイルフォーマットおよびページの段落構成を示す模式図である。
【図３】情報表示装置１のＣＰＵ１０が実行する画像表示処理を示すフローチャートである。
【図４】同一の表示階調の段落毎にまとめて描画する場合の画像表示処理を示すフローチャートである。
【符号の説明】
【００４５】
１  情報表示装置、１０  ＣＰＵ、２０  電源コントローラ、３０  フラッシュＲＯＭ、４０  メモリ、５０  ディスプレイコントローラ、６０  ディスプレイ、７０  メモリカードコントローラ、８０  メモリカード、９０  バスコントローラ
【図１】
2006184675.tif 000003
【図２】
2006184675.tif 000004
【図３】
2006184675.tif 000005
【図４】
2006184675.tif 000006